(57)【要約】【課題】中央カバー板の支持安定性を向上すると共に、該中央カバー板の表裏方向の揺動を抑え得る壁用目地カバー装置を提案する。【解決手段】伸縮リンク体１１の中央部の枢結点に枢支された中央カバー板３１の左右両側に夫々配設された、該伸縮リンク体１１の左右の枢結点１５ｂに枢支された左右一対の中間カバー板４１が、該左右の枢結点１５ｂに回動可能に連結された左右一対のカバー支持体４５の外端固定部４８ｂに夫々固定されてなり、各カバー支持体４５の内端部に、中央カバー板３１と伸縮リンク体１１との間に移動可能に介装されて、該中央カバー板３１の背方への撓みを制限するスペーサ部４７が形成されたものである。このスペーサ部４７により、中央カバー板３１の支持安定性を向上できると共に、目地を通過する風や振動などによる該中央カバー板３１の表裏方向への揺動を可及的に抑制できる。【選択図】図６
2019060201.tif 000002
【特許請求の範囲】
【請求項１】
目地を介して隣接する左右の建造物の側縁に夫々配設された連結基体と、
中央部に位置する枢結点と該中央部の左右両側方で左右方向へ変位可能な左右の枢結点とを備え、該左右方向に伸縮可能に構成されて、両端部が前記左右の連結基体に夫々枢結された伸縮リンク体と、
前記伸縮リンク体の表方に配されて、該伸縮リンク体の中央部の枢結点に枢支され、目地の略中央に配設された中央カバー板と、
前記伸縮リンク体の左右の枢結点に夫々支持され、内端部を前記中央カバー板の表面上に摺動可能に重ねて、該中央カバー板の左右両側に夫々配設された左右一対の中間カバー板と、
前記左右の連結基体に外端部が夫々固定され、内端部を前記中間カバー板の表面上に摺動可能に重ねて、該中間カバー板の左右両側に夫々配設された左右一対の端部カバー板と
を備えてなる壁用目地カバー装置において、
前記各中間カバー板の背方に夫々配設されたものであって、該中間カバー板に夫々固定された外端固定部と、前記伸縮リンク体の左右の枢結点に回動可能に夫々連結された枢支部とを備え、各中間カバー板を当該枢結点に夫々支持する左右一対のカバー支持体を備えてなり、
前記カバー支持体は、
その内端部に、前記中央カバー板と伸縮リンク体との間に移動可能に介装されて、介装された状態で該中央カバー板の背方への撓みを制限するスペーサ部を備えてなるものであることを特徴とする壁用目地カバー装置。
【請求項２】
カバー支持体のスペーサ部は、その内端に、背方へ下る形状の案内縁が形成されてなるものであることを特徴とする請求項１に記載の壁用目地カバー装置。
【請求項３】
伸縮リンク体は、
二本のリンク杆を交差させて螺子杆により互いの中央部で枢結された複数のリンク要素部が、隣合うリンク要素部の各リンク杆の端部同士を螺子杆により夫々枢結させて、左右方向に列設されてなるものであって、
前記枢結されるリンク杆同士を、該リンク杆の間に皿バネを介装させて、前記螺子杆により回動可能に締結してなるものであることを特徴とする請求項１又は請求項２に記載の壁用目地カバー装置。
【請求項４】
螺子杆により枢結させるリンク杆の間に、二個の皿バネを背中合わせで介装させたことを特徴とする請求項３に記載の壁用目地カバー装置。
【発明の詳細な説明】
【技術分野】
【０００１】
本発明は、隣接する建造物の壁相互間の目地を覆う壁用目地カバー装置に関する。
【背景技術】
【０００２】
隣接する建造物の壁相互間の目地には、該目地を覆う壁用目地カバー装置が配設される。こうした壁用目地カバー装置としては、例えば特許文献１のように、左右の建造物の側壁面に両端部が枢支された伸縮アームによって、中央カバー板と左右一対の中間カバー板と左右一対の端部カバー板を支持するようにしたものが知られている。かかる構成は、図１５に示すように、左右方向へ伸縮可能な複数のパンタグラフ状の伸縮アーム１１１が、左右の側壁面１０２，１０２に、ヒンジ部材１０４，１０４を介して枢支され、中央カバー板１２１が、該伸縮アーム１１１の中央の枢支部１１５ａに支持される。さらに、左右一対の中間カバー板１２５，１２５が、前記伸縮アーム１１１の枢支部１１５ａの両側方に位置する枢支部１１５ｂ，１１５ｂに夫々支持されて、前記中央カバー板１２１に対してスライド可能に配設されると共に、左右一対の端部カバー板１２８，１２８が、前記伸縮アーム１１１の両端部に支持されて、前記中間カバー板１２５，１２５に対してスライド可能に配設される。そして、地震時において、隣接する建造物１０１，１０１同士が横方向に大きく相対変位した場合には、伸縮アーム１１１が該相対変位に追従して伸縮すると共に、左右の中間カバー板１２５，１２５および左右の端部カバー板１２８，１２８が該伸縮アーム１１１の伸縮に追従して左右にスライドする。これにより、地震の揺れを吸収でき、該地震による破損を防止できる。
【先行技術文献】
【特許文献】
【０００３】
【特許文献１】特許３０２８５０７号公報
【発明の概要】
【発明が解決しようとする課題】
【０００４】
ところで、上述した従来構成（特許文献１）にあっては、中央カバー板１２１が、その中央部を伸縮アーム１１１の中央の枢支部１１５ａに支持されたのみで、該伸縮アーム１１１に取り付けられていることから、該中央カバー板１２１の支持安定性が比較的弱く、目地を吹き抜ける風や付近を走行する車両の振動などによって、該中央カバー板１２１が揺動し易くなっていた。そして、中央カバー板１２１が表裏方向に揺動すると、中間カバー板１２５や伸縮アーム１１１と接触することにより接触音が発生する虞があった。
【０００５】
本発明は、中央カバー板の支持安定性を向上すると共に、該中央カバー板の表裏方向の揺動を抑えて、該揺動による接触音の発生を抑制し得る壁用目地カバー装置を提案するものである。
【課題を解決するための手段】
【０００６】
本発明は、目地を介して隣接する左右の建造物の側縁に夫々配設された連結基体と、中央部に位置する枢結点と該中央部の左右両側方で左右方向へ変位可能な左右の枢結点とを備え、該左右方向に伸縮可能に構成されて、両端部が前記左右の連結基体に夫々枢結された伸縮リンク体と、前記伸縮リンク体の表方に配されて、該伸縮リンク体の中央部の枢結点に枢支され、目地の略中央に配設された中央カバー板と、前記伸縮リンク体の左右の枢結点に夫々支持され、内端部を前記中央カバー板の表面上に摺動可能に重ねて、該中央カバー板の左右両側に夫々配設された左右一対の中間カバー板と、前記左右の連結基体に外端部が夫々固定され、内端部を前記中間カバー板の表面上に摺動可能に重ねて、該中間カバー板の左右両側に夫々配設された左右一対の端部カバー板とを備えてなる壁用目地カバー装置において、前記各中間カバー板の背方に夫々配設されたものであって、該中間カバー板に夫々固定された外端固定部と、前記伸縮リンク体の左右の枢結点に回動可能に夫々連結された枢支部とを備え、各中間カバー板を当該枢結点に夫々支持する左右一対のカバー支持体を備えてなり、前記カバー支持体は、その内端部に、前記中央カバー板と伸縮リンク体との間に移動可能に介装されて、介装された状態で該中央カバー板の背方への撓みを制限するスペーサ部を備えてなるものであることを特徴とする壁用目地カバー装置である。
【０００７】
かかる構成にあっては、中央部を支持された中央カバー板が、伸縮リンク体との間に介装されたカバー支持体のスペーサ部によって、背方への撓みを制限されることから、該中央カバー板の表裏方向への揺動を抑制でき、該揺動による接触音の発生を可及的に防ぎ得る。ここで、中央カバー板は、中央部の左右両側部が、その表面に重なる中間カバー板の内端部によって表方への撓みを制限されるため、総じて、表裏方向への揺動を可及的に抑制する効果が高い。こうしたことから、本構成によれば、前記接触音の発生を防ぐ効果を著しく向上できる。
【０００８】
さらに、スペーサ部は、伸縮リンク体の左右の枢結点に支持されたカバー支持体の内端部に設けられていることから、該伸縮リンク体との間に安定して配置され得る。こうした左右のスペーサ部により、中央カバー板の左右両側部が撓み難くなっていることから、中央カバー板を支持した状態の安定性が向上する。尚ここで、本発明にあって、左右のスペーサ部が中央カバー板の左右両側部の背面に当接される構成が好適である。この構成によれば、中央カバー板を一層安定して支持できると共に、該中央カバー板の背方への撓みを制限する効果が一層高くなる。
【０００９】
上述した本発明の壁用目地カバー装置にあって、カバー支持体のスペーサ部は、その内端に、背方へ下る形状の案内縁が形成されてなるものである構成が提案される。ここで、案内縁としては、背方へ傾斜する形状、背方へ湾曲状に下る形状などが好適である。
【００１０】
かかる構成にあっては、中間カバー板の左右方向への相対移動に伴って、カバー支持体のスペーサ部が、中央カバー板の外端部よりも外側方への移動した後に、該外端部よりも内方へ移動した場合に、該スペーサ部が、その案内面によって比較的容易に中央カバー板と伸縮リンク体との間に進入できる。このようにカバー支持体のスペーサ部が、中央カバー板の外端部の内外へスムーズに移動できることから、左右への揺れの大きな地震の際にも、中間カバー板が中央カバー板に対してスムーズに相対移動できる。
【００１１】
上述した本発明の壁用目地カバー装置にあって、伸縮リンク体は、二本のリンク杆を交差させて螺子杆により互いの中央部で枢結された複数のリンク要素部が、隣合うリンク要素部の各リンク杆の端部同士を螺子杆により夫々枢結させて、左右方向に列設されてなるものであって、前記枢結されるリンク杆同士を、該リンク杆の間に皿バネを介装させて、前記螺子杆により回動可能に締結してなるものである構成が提案される。ここで、皿バネには、一般的な金属製のものに限らず、金属部分の一側にゴムを加硫結合させた構成のものを適用できる。
【００１２】
一般的に、リンク杆同士を螺子杆（ボルトなど）により枢結させる場合には、該リンク杆同士が相対的に回動できるように、該リンク杆との間に極僅かな隙間を設けた状態で該螺子杆を螺合させる。この構成では、リンク杆同士が前記隙間によりガタツキを生ずる。また、前記隙間を正確かつ安定して設けることは難しく、施工作業者によって異なる隙間が生じ易く、リンク杆同士の枢結状態にバラツキが生ずる。さらに、前記隙間のために螺子杆を締結できない場合には、該螺子杆が緩み易いという問題もあった。
【００１３】
こうした問題点を、かかる本構成によれば解決することができる。すなわち、本構成にあっては、リンク杆の間に皿バネを介装させて螺子杆を締結させることから、該リンク杆同士を、ガタツキを生ずること無く且つ相対的に回動可能に枢結できる。詳述すると、皿バネの介装により、リンク杆同士を締結させる方向にバネ作用が生ずると共に、該リンク杆との接触面積も極めて小さくなることから、螺子杆を締結させた状態で、前記のようにリンク杆同士をガタツキ無く相対的に回動可能に締結できる。また、皿バネを介装することで、螺子杆を所定の力で締結できることから、リンク杆同士を安定して枢結させることができ、上記した施工作業者による枢結状態のバラツキを可及的に抑制できる。さらに、螺子杆が緩んでしまうという上記の問題も可及的に防止し得る。
【００１４】
尚、本構成にあって、伸縮リンク体の中央部に配設されるリンク要素部の、二本のリンク杆を交差状に枢結する螺子杆により、中央部の枢結点が構成される一方、当該リンク要素部の左右側方に夫々配設されるリンク要素部の、二本のリンク杆を交差状に枢結する螺子杆により、左右方向へ変位可能な左右の枢結点が構成される。
【００１５】
上述の構成にあって、螺子杆により枢結させるリンク杆の間に、二個の皿バネを背中合わせで介装させた構成が提案される。
【００１６】
かかる構成にあっては、リンク杆の間に、背中合わせとした二個の皿バネを対称状に介装させることから、該リンク杆同士を一層安定して枢結できると共に、回動時の安定性も向上して、該回動し易くなる。
【発明の効果】
【００１７】
本発明の壁用目地カバー装置は、上述したように、左右一対の中間カバー板を夫々支持するカバー支持体が、中央カバー板と伸縮リンク体との間に介装されて、該中央カバー板の背方への撓みを制限するスペーサ部を備えた構成としたから、該中央カバー板の支持安定性を向上できる。そして、目地を通過する風や付近を走行する車両の振動などによって、中央カバー板が表裏方向へ揺動することを可及的に抑制でき、該揺動による接触音の発生を防止でき得る。
【図面の簡単な説明】
【００１８】
【図１】本実施例の壁用目地カバー装置１の施工状態を示す横断面図である。
【図２】同上の壁用目地カバー装置１の施工状態を示す正面図である。
【図３】壁用目地カバー装置１を構成する左右の連結基体２，２と複数の伸縮リンク体１１との組み付け状態を示す正面図である。
【図４】伸縮リンク体１１の斜視図である。
【図５】中央カバー板３１の一部分を拡大して示す横断面図である。
【図６】中間カバー板４１を拡大して示す横断面図である。
【図７】端部カバー板５１と連結基体２との連結状態を拡大して示す横断面図である。
【図８】伸縮リンク体１１を構成するリンク要素部１２の分解斜視図である。
【図９】隣合うリンク要素部１２，１２の分解斜視図である。
【図１０】建造物ｘ，ｘが近接方向に相対変位した場合の、壁用目地カバー装置１の作用説明図である。
【図１１】建造物ｘ，ｘが離間方向に相対変位した場合の、壁用目地カバー装置１の作用説明図である。
【図１２】建造物ｘ，ｘが表裏方向に相対変位した場合の、壁用目地カバー装置１の作用説明図である。
【図１３】建造物ｘ，ｘが近接方向に相対変位した場合の、カバー支持体４５の作動態様を示す説明図である。
【図１４】建造物ｘ，ｘが離間方向に相対変位した場合の、カバー支持体４５の作動態様を示す説明図である。
【図１５】従来の壁用目地カバー装置の施工状態を示す横断面図である。
【発明を実施するための形態】
【００１９】
本発明にかかる実施例を添付図面に従って説明する。
本発明の壁用目地カバー装置１は、図１，２に示すように、目地ｓを介して隣接する左右の建造物ｘ，ｘ間に配設されて、両建造物ｘ，ｘの側壁面ｙ、ｙ間の目地ｓを遮蔽するものである。尚、本実施例にあって、壁用目地カバー装置１における左右方向が、目地ｓの幅（建造物ｘ，ｘの間隔）の方向であり、表裏方向が、該目地ｓの奥行き方向である。
【００２０】
建造物ｘ，ｘの、互いに対向する側壁面ｙ，ｙには、壁用目地カバー装置１を構成する左右の連結基体２，２が上下方向に延在させて夫々配設されている。連結基体２は、図７に示すように、側壁面ｙに固定される断面Ｌ形の固定枠３と、該固定枠３にヒンジ４を介して表裏方向に回動可能に枢結される断面Ｌ形のブラケット６と、該固定枠３の表面側に配設された見切りカバ−体７とを備えている。ここで、固定枠３は、図示しないアンカーボルトにより側壁面ｙに強固に固定されている。また、ヒンジ４は、上下方向に所定間隔をおいて複数設けている。
【００２１】
左右のブラケット６，６には、断面コ字形に形成された長尺状の取付金具５，５が互いに対向するように夫々設けられている。そして、左右の取付金具５，５に、上下方向に所定間隔をおいて、複数の伸縮リンク体１１が、両端部を上下方向に回動可能に夫々枢結されている。
【００２２】
伸縮リンク体１１は、図３，４に示すように、互いの中央部を交差させたリンク杆１３ａ，１３ｂを、該中央部で回動可能に枢結したリンク要素部１２が、左右方向に複数連結された構成を有するものであり、隣合うリンク要素部１２，１２の各リンク杆１３ａ，１３ｂの端部同士が回動可能に夫々枢結されている。本実施例では、三個のリンク要素部１２が連結されており、左右両端に位置するリンク杆１３ａ，１３ｂの各端部に、該リンク杆１３ａ，１３ｂの略半分の長さをなす短尺リンク杆１４ａ，１４ｂの一端が回動可能に夫々枢結されている。そして、左右両側で、上下の短尺リンク杆１４ａ，１４ｂ他端が、上記した取付金具５に回動可能に夫々枢結される（図１，７参照）。こうした伸縮リンク体１１は、前記各リンク杆１３ａ，１３ｂと短尺リンク杆１４ａ，１４ｂとを夫々枢結した構成によって、左右方向に伸縮可能である。
【００２３】
ここで、各リンク要素部１２を構成する二個のリンク杆１３ａ，１３ｂは、図４，８に示すように、その中央部で長尺の螺子杆２１とナット２２との螺合により枢結されている。さらに、隣合うリンク杆１３ａ，１３ｂの端部同士は、図４，９に示すように、短尺の螺子杆２３とナット２４との螺合により枢結されている。同様に、左右両端に位置するリンク杆１３ａ，１３ｂの各端部と短尺リンク杆１４ａ，１４ｂの一端部とは、図４に示すように、前記螺子杆２３とナット２４との螺合により枢結されると共に、左右両側で、短尺のリンク杆１４ａ，１４ｂと取付金具５とも、前記螺子杆２１とナット２２との螺合により枢結される。尚、螺子杆２１，２３による各リンク杆１３ａ，１３ｂ，１４ａ，１４ｂの枢結は、本発明の要部にかかるため、詳細を後述する。
【００２４】
そして、中央のリンク要素部１２にあって、図３，４に示すように、二個のリンク杆１３ａ，１３ｂを枢結する上記の螺子杆２１が、当該リンク杆１３ａ，１３ｂの枢結軸であり、左右方向の中央に位置する枢結点１５ａを構成する。同様に、左右のリンク要素部１２にあって、夫々二個のリンク杆１３ａ，１３ｂを枢結する上記の螺子杆２１が、当該リンク杆１３ａ，１３ｂの枢結軸であり、左右の枢結点１５ｂを夫々構成する。さらに、左右両端で、二個の短尺リンク杆１４ａ，１４ｂと取付金具５とを枢結する上記の螺子杆２１が、これらの枢結軸であり、左右の端部の枢結点１５ｃを夫々構成する。これら中央の枢結点１５ａと、その左右側方に位置する枢結点１５ｂ，１５ｂと、さらに外方に位置する枢結点１５ｃ，１５ｃとが略横一列に並ぶ。そして、この伸縮リンク体１１は、どのように伸縮しても、前記枢結点１５ａが中央に位置する。尚、前記枢結点１５ａが、本発明にかかる中央部の枢結点に相当し、左右の枢結点１５ｂ，１５ｂが、本発明にかかる左右の枢結点に相当する。
【００２５】
一方、上記した中央のリンク要素部１２の螺子杆２１には、図１に示すように、中央カバー板３１が取り付けられている。中央カバー板３１は、図５に示すように、壁用目地カバー装置１の上端から下端に亘る上下方向に長い形状を成す主カバー板３２と、該主カバー板３２よりも若干短い中央板支持体３５とを備え、該中央板支持体３５が主カバー板３２の背面に夫々固定されて一体化されてなる。中央板支持体３５は、上下方向に複数配設された伸縮リンク体１１の中央に位置する各螺子杆２１に、夫々枢結される。このように中央カバー板３１は、各伸縮リンク体１１の中央の螺子杆２１（枢結点１５ａ）に取り付けられていることによって、該伸縮リンク体１１により目地ｓの略中央に常時位置するように配設される。
【００２６】
また、上記の中央カバー板３１の左右両側には、図１，２に示すように、左右一対の中間カバー板４１，４１が該中央カバー板３１の表方に配設されている。各中間カバー板４１は、中央カバー板３１と上下方向の長さが略同じに形成されており、図６に示すように、各伸縮リンク体１１を構成する左右のリンク要素部１２の螺子杆２１（枢結点１５ｂ）に、カバー支持体４５を介して夫々取り付けられている。そして、左右の中間カバー板４１は、夫々内端部が中央カバー板３１の表面に重ねられて配設される。一方、前記カバー支持体４５は、上記した中央板支持体３５の左右両側に夫々配設されており、前記各螺子杆２１（枢結点１５ｂ）に、回動可能に夫々連結されている。そして、カバー支持体４５は、その上下方向の長さが、前記中央板支持体３５とほぼ同じ長さに形成されている（図２参照）。
【００２７】
さらにまた、上記した左右の中間カバー板４１，４１の外側には、図１，２に示すように、左右一対の端部カバー板５１，５１が該中間カバー板４１，４１の表方に配設されている。各端部カバー板５１は、上記した中央カバー板３１および中間カバー板４１と上下方向の長さが略同じに形成されている。そして、左右の端部カバー板５１は、図７に示すように、夫々の外端部が上記のブラケット６に取り付けられており、夫々の内端部が中間カバー板４１の表面に重ねられて配設される。
【００２８】
尚、上述した中央カバー板３１、中間カバー板４１、カバー支持体４５、および端部カバー板５１の詳細は、本発明の要部にかかることから、後述する。
【００２９】
こうした壁用目地カバー装置１は、図１０，１１に示すように、地震時に建造物ｘ，ｘが左右方向（目地ｓの幅を変化させる方向）に相対変位した場合に、該建造物ｘ，ｘの側壁面ｙ，ｙに配設された連結基体２，２が左右方向に移動すると、該連結基体２，２に両端部が連結された各伸縮リンク体１１が伸縮する。これに伴って、上記中央カバー板３１は、各伸縮リンク体１１の中央に位置する枢結点１５ａ（中央の螺子杆２１）に支持されていることから、常に目地ｓの中央に移動する。一方、中央カバー板３１の左右に配設された中間カバー板４１，４１は、各伸縮リンク体１１の左右に位置する枢結点１５ｂ，１５ｂ（左右の螺子杆２１，２１)に支持されていることから、該中央カバー板３１に対して左右に移動する。さらに、左右の端部カバー板５１，５１は、側壁面ｙ，ｙに連結基体２，２を介して支持されていることから、前記中央カバー板３１および左右の中間カバー板４１，４１に対して左右に移動する。
【００３０】
ここで、建造物ｘ，ｘが目地ｓの幅を狭める方向に相対変位した場合には、図１０に示すように、該建造物ｘ、ｘの変位に従って、左右の端部カバー板５１，５１が目地ｓの中央に向かって（内方に向かって）夫々移動すると共に、左右の中間カバー板４１，４１が、各伸縮リンク体１１の短縮変形に従って、目地ｓの中央に向かって夫々移動する。ここで、伸縮リンク体１１の左右に位置する枢結点１５ｂ，１５ｂの中央への移動量が、建造物ｘ、ｘの変位量よりも短いことから、左右の端部カバー板５１，５１が、左右の中間カバー板４１，４１よりも中央へ大きく移動する。これにより、各端部カバー板５１，５１が中間カバー板４１，４１の表面に重なる範囲が増える。さらに、左右の中間カバー板４１，４１が、中央カバー板３１に対して中央へ移動し、これに伴って各中間カバー板４１，４１が中央カバー板３１の表面に重なる範囲が増える。このように、左右の中間カバー板４１，４１および端部カバー板５１，５１が移動することにより、建造物ｘ，ｘの相対的に近づく方向への変位を吸収できる。
【００３１】
逆に、建造物ｘ，ｘが目地ｓの幅を広げる方向に相対変位した場合には、図１１に示すように、該建造物ｘ、ｘの変位に従って、左右の端部カバー板５１，５１が外方に向かって夫々移動すると共に、左右の中間カバー板４１，４１が、各伸縮リンク体１１の伸長変形に従って、外方に向かって夫々移動する。ここで、上記のように、伸縮リンク体１１の枢結点１５ｂ，１５ｂの外方への移動量が、建造物ｘ，ｘの変位量よりも短いことから、左右の端部カバー板５１，５１が、左右の中間カバー板４１，４１よりも外方へ大きく移動する。これにより、各端部カバー板５１，５１が中間カバー板４１，４１に重なる範囲が減少する。さらに、左右の中間カバー板４１，４１が、中央カバー板３１に対して外方へ移動し、これに伴って各中間カバー板４１，４１が該中央カバー板３１に重なる範囲が減少する。このように、左右の中間カバー板４１，４１および端部カバー板５１，５１が移動することにより、建造物ｘ，ｘの相対的に離間する方向への変位を吸収できる。
【００３２】
一方、建造物ｘ，ｘが表裏方向（目地ｓの前後方向）に相対変位した場合には、図１２に示すように、側壁面ｙに固定される固定枠３と、伸縮リンク体１１の端部を取り付けたブラケット６とを連結したヒンジ４が表裏方向に回動することにより、かかる相対変位を吸収できる。
【００３３】
また、建造物ｘ，ｘが上下方向に相対変位した場合（図示せず）には、連結基体２，２の取付金具５，５に両端部が枢結された各伸縮リンク体１１が、左右の連結基体２，２の上下方向の相対移動に伴って傾動する。これにより、中央カバー板３１が、上下移動の略中央で支持されるすると共に、各伸縮リンク体１１に支持された左右の中間カバー板４１，４１が、中央カバー板３１に対して上下に移動し、左右の端部カバー板５１，５１が、建造物ｘ，ｘの上下移動に従って、上下に移動する。これにより、建造物ｘ，ｘの上下方向への変位を吸収できる。
【００３４】
次に、本発明の要部について説明する。
上記した中央カバー板３１を構成する主カバー板３２は、図５に示すように、平板状の主板部３３と、該主板部３３の左右両側端から夫々連成された傾斜外縁部３４とを備える。ここで、傾斜外縁部３４は、主板部３３から表方へ傾斜する形状を成し、主カバー板３２の上下方向に亘って形成されている。一方、前記中央カバー板３１を構成する中央板支持体３５は、その中央部に形成された背方へ凹む連結凹部３６と、該連結凹部３６の左右両端から外方へ夫々延成された平板状の主支持板部３７と、各主支持板部３７の外端から夫々連成された固定外端部３８とを備える。ここで、連結凹部３６が、上記した中央に位置する螺子杆２１（中央の枢結点１５ａ）に回動可能に枢結される。固定外端部３８は、前記主カバー板３２の傾斜外縁部３４に夫々重なり合うように、主支持板部３７から表方へ傾斜する形状を成し、該傾斜外縁部３４に夫々固結される。かかる複数の中央板支持体３５は、夫々の固定外端部３８が主カバー板３２の傾斜外縁部３４に固結された状態で、主支持板部３７，３７が主カバー板３２の主板部３３に重ね合わされる。これにより、主カバー板３２と中央板支持体３５が一体化されて、中央カバー板３１が構成される。そして、こうした中央カバー板３１は、中央板支持体３５を介して、中央に位置する夫々の枢結点１５ａ（螺子杆２１）に枢結される。
【００３５】
また、上記した左右の中間カバー板４１は、図６に示すように、平板状の主板部４２と、該主板部４２の内端から連成された傾斜内縁部４３と、該主板部４２の外端から連成された外端傾斜部４４とを備える。ここで、外端傾斜部４４は、主板部４２の外端から表方へ傾斜する形状を成し、中間カバー板４１の上下方向に亘って形成されている。傾斜内縁部４３は、主板部４２の内端から背方へ傾斜する形状を成し、中間カバー板４１の上下方向に亘って形成されている。そして、この傾斜内縁部４３は、その内端が、外側に折り返されて中央カバー板３１の表面に当接される。この傾斜内縁部４３は、主板部４２から背方へ突出する高さ寸法が、上記した中央カバー板３１を構成する主カバー板３２の傾斜外縁部３４の、主板部３３から表方へ突出する高さ寸法と、同じとなっている。これにより、傾斜内縁部４３の内端を中央カバー板３１の主カバー板３２の表面に当接させ、かつ該中央カバー板３１の傾斜外縁部３４の外端を中間カバー板４１の主板部４２の背面に当接させることで、左右の中間カバー板４１の各主板部４２が、中央カバー板３１の主板部３３と略並行に配設される。
【００３６】
こうした左右の中間カバー板４１は、上述したように、カバー支持体４５を夫々介して、伸縮リンク体１１に支持される。カバー支持体４５は、平板状の主板部４６と、該主板部４６の内端に連成されたスペーサ部４７と、該主板部４６の外端に連成された外端部４８とを備える。
【００３７】
ここで、カバー支持体４５は、その主板部４６の内端寄り部位（以下、枢支部という）４６ａで、前記した枢結点１５ｂを構成する螺子杆２１に回転可能に枢結される。また、カバー支持体４５の外端部４８は、主板部４６の外端から表方へ折曲された立ち上がり部４８ａと、該立ち上がり部４８ａの上端から外方へ傾斜する外端固定部４８ｂとを備える。そして、この外端固定部４８ｂに、中間カバー板４１の外端傾斜部４４に重ね合わされて固結される。また、上記のスペーサ部４７は、主板部４６の内端から表方へ山形状に屈曲形成されて、該主板部４６よりも表方に隆起してなり、背方へ傾斜する傾斜案内縁４７ａを備えてなる。尚、本実施例にあっては、前記外端固定部４８ｂと中間カバー板４１の外端傾斜部４４とが固結された状態で、スペーサ部４７が、該中間カバー板４１の傾斜内縁部４３よりも外側方に位置する。すなわち、カバー支持体４５（主板部４６）は、左右方向の長さが、中間カバー板４１（主板部４２）の左右方向の長さよりも短い。
【００３８】
こうしたカバー支持体４５は、前記のように、主板部４６の枢支部４６ａで枢結点１５ｂの螺子杆２１に連結され、かつ外端固定部４８ｂが中間カバー板４１の外端傾斜部４４に固定されることにより、該中間カバー板４１を支持する。そして、この状態で、カバー支持体４５のスペーサ部４７が、中央カバー板３１と伸縮リンク体１１との間に介装されて、該中央カバー板３１の背面に当接される。この状態で、中央カバー板３１は、その左右の側端寄りの部位が、前記左右のスペーサ部４７により背方から支持されると共に、当該左右の部位と中央の枢結点１５ａに連結された中央部との間で、中間カバー板４１の傾斜内縁部４３により表側から支持されることから、目地ｓの中央で安定して保たれ得る。
【００３９】
また、上記した左右の端部カバー板５１は、平板状の主板部５２と、該主板部５２の内端から連成された傾斜内縁部５３とを備える。ここで、主板部５２の外縁部が、上記した連結基体２のブラケット６に固定される。傾斜内縁部５３は、主板部５２の内端から背方へ傾斜する形状を成し、端部カバー板５１の上下方向に亘って形成されている。そして、この傾斜内縁部５３は、その内端が、外側に折り返されて中間カバー板４１の表面に当接される。この傾斜内縁部５３は、主板部５２から背方へ突出する高さ寸法が、上記した中間カバー板４１の外端傾斜部４４の、主板部４２から表方へ突出する高さ寸法と、同じとなっている。これにより、傾斜内縁部５３の内端を中間カバー板４１の主板部４２の表面に当接させ、かつ該中間カバー板４１の外端傾斜部４４を主板部５２の背面に当接させることで、左右の端部カバー板５１の各主板部５２が、中間カバー板４１の主板部４２と略並行に配設される。
【００４０】
一方、伸縮リンク体１１は、上述したように、二本のリンク杆１３ａ，１３ｂを交差させたリンク要素部１２を、左右方向に三個連結され、さらに、左右のリンク要素部１２，１２の外側に、夫々二個の短尺リンク杆１４ａ，１４ｂが連結されてなるものである。ここで、各リンク杆１３ａ，１３ｂ，１４ａ，１４ｂは、角パイプにより構成されており、リンク要素部１２を構成するリンク杆１３ａ，１３ｂには、図８，９に示すように、その中央部に、螺子杆２１の軸部を表裏方向に貫通する第一貫通孔１６が夫々形成されている。そして、リンク要素部１２を構成する二個のリンク杆１３ａ，１３ｂのうち、裏側に配設される一方のリンク杆１３ｂには、その両端部に、螺子杆２１（又は螺子杆２３）の軸部を表裏方向に貫通する第一貫通孔１６が形成されている。さらに、表側に配設される他方のリンク杆１３ａには、その両端部に、表面部に形成された挿通孔１７ａと裏面部に形成された貫通孔（図示せず）とから構成された第二貫通孔１７が配設されている。ここで、前記挿通孔１７ａと貫通孔とは対向状に設けられており、該挿通孔１７ａがナット２４を挿通可能であり、該貫通孔が、該ナット２４を挿通不能かつ螺子杆２３の軸部を貫通可能である。また、図４に示すように、裏側に配設される一方の短尺リンク杆１４ｂは、その両端部に、図示しない第一貫通孔（前記したリンク杆１３ｂの第一貫通孔１６と同じ構成）が形成されている。さらに、表側に配設される他方の短尺リンク杆１４ａは、その一端部に、裏側の短尺リンク杆１４ｂと同じ第一貫通孔（図示せず）が形成され、他端部に、前記したリンク杆１３ａと同じ第二貫通孔１７が形成されている。
【００４１】
リンク要素部１２は、図４，８，９に示すように、二本のリンク杆１３ａ，１３ｂが、その中央部に形成された第一貫通孔１６，１６に、表方から螺子杆２１の軸部を貫通させて、裏側でナット２２により螺合して枢結する。この枢結状態では、螺子杆２１の頭部が表側に突出し、かつナット２２（および螺子杆２１の軸部の先端部）が裏側に突出する。また、隣合うリンク要素部１２，１２は、表側のリンク杆１３ａの一端部と裏側のリンク杆１３ｂの他端部とが、該表側の第二貫通孔１７と該裏側の第一貫通孔１６とを同心状に重ね合わせた状態で、裏方から螺子杆２３の軸部を通して、該第二貫通孔１７の挿通孔１７ａからリンク杆１３ａに進入させたナット２４により螺合して枢結する。この枢結状態では、螺子杆２３の頭部が裏側に突出するものの、ナット２４（および螺子杆２３の軸部の先端部）がリンク杆１３ａの内部に収容されるため、表側に突出しない。一方、短尺リンク杆１４ａ，１４ｂにあっても、前記した取付金具５と枢結される一端部同士は、前記したリンク杆１３ａ，１３ｂの中央部の枢結と同様に、表方から螺子杆２１の軸部を挿通させてナット２２により螺合して枢結される。また、裏側の短尺リンク杆１４ｂは、前記したリンク杆１３ａ，１３ｂの端部同士の枢結と同様に、その他端部の第一貫通孔１６と、表側のリンク杆１３ａの一端部の第二貫通孔１７とを通した螺子杆２３とナット２４とにより枢結される。さらに、表側の短尺リンク杆１４ａは、前記したリンク杆１３ａ，１３ｂの端部同士の枢結と同様に、その一端部の第二貫通孔１７と、裏側のリンク杆１３ｂの他端部の第一貫通孔１６とを通した螺子杆２３とナット２４とにより枢結される。
【００４２】
さらに、伸縮リンク体１１は、図８，９に示すように、螺子杆２１により枢結されるリンク杆１３ａ，１３ｂの中央部の間、該リンク杆１３ａ，１３ｂの端部の間、該リンク杆１３ａ，１３ｂの端部と短尺リンク杆１４ａ，１４ｂの端部の間、および短尺リンク杆１４ａ，１４ｂの端部の間に、夫々二個の皿バネ６１，６１を背中合わせで介装されて、夫々が該螺子杆２１により締結されている。
【００４３】
ここで、皿バネ６１は、一般的な構成のものであり、中央に螺子杆２１，２３を挿通可能な挿通孔６２を備え、その周囲に外方へ傾斜する環状側部６３を備える。そして、二個の皿バネ６１，６１を、夫々の挿通孔６２，６２を重ねて背中合わせてとし、前記のようにリンク杆１３ａ，１３ｂの間、リンク杆１３ａ，１３ｂと短尺リンク杆１４ａ，１４ｂとの間、リンク杆１４ａ，１４ｂの間に夫々介装される。
【００４４】
リンク要素部１２を構成するリンク杆１３ａ，１３ｂは、図８に示すように、各中央部の間に皿バネ６１，６１が介装されて、上記のように螺子杆２１により枢結されている。すなわち、伸縮リンク体１１を構成する夫々のリンク要素部１２では、交差されたリンク杆１３ａ，１３ｂの各中央部の間に、背中合わせとした二個の皿バネ６１，６１が介装され、該中央部の各第一貫通孔１６，１６と該皿バネ６１，６１の挿通孔６２，６２とに挿通された螺子杆２１の軸部とナット２２とが締結される。ここで、リンク杆１３ａ，１３ｂの各中央部には、各皿バネ６１，６１の環状側部６３，６３の外周縁が接触することから、接触面積が可及的に小さくなる。そして、前記螺子杆２１とナット２２とは、前記皿バネ６１，６１のバネ作用を介して締結される。こうしたことから、螺子杆２１とナット２２との締結によって、リンク杆１３ａ，１３ｂの中央部同士が固結されず、該リンク杆１３ａ，１３ｂが回動可能に枢結される。さらに、螺子杆２１とナット２２とを、皿バネ６１，６１を介して締め付けることによって、交差したリンク杆１３ａ，１３ｂ同士をガタツキ無く安定して枢結できる。
尚、こうした螺子杆２１とナット２２との締め付け作業は、トルクレンチ等を使用することにより、予め設定した力で実施できる。これにより、施工作業者による作業のバラツキを無くすことができ、リンク杆１３ａ，１３ｂ同士を前記した回動可能な所望の状態で正確且つ安定して枢結させることができる。
【００４５】
同様に、隣合うリンク要素部１２は、隣合うリンク杆１３ａ，１３ｂの各端部の間に、背中合わせとした二個の皿バネ６１，６１が介装され、該端部の各第一貫通孔１６と第二貫通孔１７と該皿バネ６１，６１の挿通孔６２，６２とに挿通された螺子杆２３の軸部とナット２４とが締結される。こうしたリンク杆１３ａ，１３ｂの端部同士にあっても、該端部と皿バネ６１，６１との接触面積が可及的に小さく、かつ該皿バネ６１，６１のバネ作用を介して締結されることから、該リンク杆１３ａ，１３ｂが回動可能に安定して枢結される。
【００４６】
さらに、左右のリンク要素部１２，１２の両端に位置するリンク杆１３ａ，１３ｂの端部と、短尺リンク杆１４ａ，１４ｂの端部との間にも、背中合わせとした二個の皿バネ６１，６１を介装され、両端部の第一貫通孔１６と第二貫通孔１７と該皿バネ６１，６１の挿通孔６２，６２とに挿通された螺子杆２３の軸部とナット２４とが締結される。また、左右の取付金具５に枢結される短尺リンク杆１４ａ，１４ｂの各他端部の間にも、背中合わせとした二個の皿バネ６１，６１を介装され、両端部の各第一貫通孔１６，１６と該皿バネ６１，６１の挿通孔６２，６２とに挿通された螺子杆２１とナット２２とが締結される。これらいずれにあっても、上述のリンク杆１３ａ，１３ｂの中央部同士の枢結構造と同様に、リンク杆１３ａ，１３ｂ，１４ａ，１４ｂと皿バネ６１との接触面積が可及的に小さく、かつ該皿バネ６１，６１のバネ作用を介して締結されることから、該リンク杆１３ａ，１３ｂ，１４ａ，１４ｂが回動可能に安定して枢結される。
【００４７】
次に、上述した壁用目地カバー装置１の作動態様について説明する。
図１，５〜７に示す標準位置では、上述したように、中央カバー板３１は、その中央部が各伸縮リンク体１１の中央に位置する枢結点１５ａ（螺子杆２１）に枢結されて配設され、さらに、左右の側端寄りの部位で、左右のカバー支持体４５のスペーサ部４７により背方から支持されると共に、該左右の部位と中央部との間で、中間カバー板４１の傾斜内縁部４３より表側から支持される。また、左右の中間カバー板４１は、その傾斜内縁部４３が中央カバー板３１の表面に当接され、外端傾斜部４４がカバー支持体４５の外端固定部４８ｂに固定されている。また、左右の端部カバー板５１は、傾斜内縁部５３が中間カバー板４１の表面に当接され、主板部５２の外縁部が連結基体２のブラケット６に固定されている。こうした構成により、中央カバー板３１、左右の中間カバー板４１，４１、および左右の端部カバー板５１，５１は、互いの自由端（中央カバー板３１の左右の側端部、中間カバー板４１の内端部、および端部カバー板５１の内端部）を支え合うようにして、取り付けられていることから、所望の位置に安定して保たれ得る。そして、目地ｓを通る風や、付近を通過する自動車の振動等によって、中央カバー板３１、左右の中間カバー板４１，４１、および左右の端部カバー板５１，５１が表裏に撓むことを可及的に抑制できる。
【００４８】
地震時に、建造物ｘ，ｘが目地ｓの幅を広げる方向に相対変位すると、上述したように、目地ｓの中央に常時位置する中央カバー板３１に対して、左右の中間カバー板４１，４１が外方へ夫々移動すると共に、左右の端部カバー板５１，５１が外方へ夫々移動する（図１１参照）。この際に、前記相対変位の変位量が比較的小さい場合には、カバー支持体４５のスペーサ部４７が、中央カバー板３１の背面に当接したままで摺動することから、該スペーサ部４７による中央カバー板３１の支持状態が保たれる。しかし、図１１，１４に示すように、前記相対変位の変位量が大きくなると、スペーサ部４７が、中央カバー板３１の側端よりも外方へ移動してしまう。この後に、建造物ｘ，ｘが目地ｓの幅を狭くする方向に相対変位すると、中央カバー板３１に対して、左右の中間カバー板４１，４１が内方へ夫々移動する（図１０参照）。これにより、カバー支持体４５のスペーサ部４７は、中間カバー板４１と伸縮リンク体１１との間に進入する。この際に、スペーサ部４７の傾斜案内縁４７ａにより、比較的容易に中央カバー板３１と伸縮リンク体１１との間に進入でき、図１３に示すように、該スペーサ部４７が、該中央カバー板３１の背面に当接する。このように、本実施例では、スペーサ部４７が傾斜案内縁４７ａを備えていることにより、該スペーサ部４７が、中央カバー板３１の背方にある位置と外方へ離間した位置とに繰り返し移動しても、該移動をスムーズに行うことができる。
【００４９】
また、地震時に、建造物ｘ，ｘが上下方向や表裏方向に相対変位する場合にあっても、目地ｓの幅方向への相対変位を伴うときには、上述と同様に、各伸縮リンク体１１が伸縮して、中間カバー板４１，４１と端部カバー板５１，５１とが移動することから、上記スペーサ部４７の傾斜案内縁４７ａにより同様の作用効果を奏し得る。
【００５０】
このように本実施例の壁用目地カバー装置１によれば、左右の中間カバー板４１，４１を支持するカバー支持体４５，４５のスペーサ部４７，４７が、中央部のみで伸縮リンク体１１に枢支される中央カバー板３１の左右両側縁を、背面から支持することから、該中央カバー板３１の左右両側縁が背方へ撓むことを抑制できる。そのため、目地ｓを通る風や付近を走行する車両の振動等によっても、前記中央カバー板３１の背方への撓み変位を可及的に抑制でき、該撓み変位によって、該中央カバー板３１と伸縮リンク体１１または中間カバー板４１との接触を防止でき、該接触による接触音の発生を防止できる。
【００５１】
さらに、カバー支持体４５のスペーサ部４７は、その内端に、背方へ下る形状の傾斜案内縁４７ａを備えていることにより、地震時に、目地ｓの幅を広くする方向に比較的大きく相対変位して、中央カバー板３１よりも外方へ移動しても、該幅を狭くする方向に相対変位する際に、該傾斜案内縁４７ａにより比較的容易に該中央カバー板３１の背方へ進入できる。このように目地ｓの幅方向に比較的大きく相対変位した場合に、スペーサ部４７が、中央カバー板３１の内外にスムーズに移動できる。
【００５２】
また、本実施例は、伸縮リンク体１１を構成する交差する二個のリンク杆１３ａ，１３ｂの間、隣合うリンク杆１３ａ，１３ｂの間、リンク杆１３ａ，１３ｂと短尺リンク杆１４ａ，１４ｂとの間、および取付金具５に枢結する短尺リンク杆１４ａ，１４ｂの間に、二個の皿バネ６１，６１を背中合わせで介装させて、夫々螺子杆２１，２３とナット２２、２４とにより締め付けていることから、各リンク杆１３ａ，１３ｂ同士、リンク杆１３ａ，１３ｂと短尺リンク杆１４ａ，１４ｂ、および短尺リンク杆１４ａ，１４ｂ同士が、回動可能に枢結され、上述の地震時に、伸縮リンク体１１が比較的スムーズかつ安定して伸縮できる。ここで、螺子杆２１，２２とナット２２，２４とを締め付けて枢結することから、リンク杆１３ａ，１３ｂ，１４ａ，１４ｂの各枢結する同士を、ガタツキを生ずることなく枢結できると共に、施工作業者によるバラツキも生じない。
【００５３】
尚、本実施例にあって、中央のリンク要素部１２の枢結点１５ａが、本発明にかかる中央部の枢結点に相当し、左右のリンク要素部１２，１２の枢結点１５ｂ，１５ｂが、本発明にかかる左右の枢結点に相当する。また、傾斜案内縁４７ａが、本発明にかかる案内縁に相当する。
【００５４】
本発明にあっては、上述した実施例に限定されるものではなく、この実施例以外の構成についても本発明の趣旨の範囲内で適宜変更して実施可能である。
例えば、伸縮リンク体１１の配設個数は、上記実施例に限定されず、適宜変更することが可能である。また、実施例の伸縮リンク体１１は、三個のリンク要素部１２を左右方向に連結した構成であるが、これに限らず、リンク要素部１２の配設個数を適宜変更することが可能である。例えば、五個のリンク要素部１２を左右方向に連結した構成とすることも可能である。
【００５５】
また、上述の実施例にあっては、中間カバー板４１のスペーサ部４７を、山形に隆起した形状としたものであるが、この形状に限定されず、様々な形状とすることが可能である。例えば、表方へ湾曲状に隆起する形状としたり、台形状に隆起する形状などとできる。さらに、スペーサ部の傾斜案内縁は、平面状（直線状）に傾斜する形状に限らず、湾曲状に傾斜する形状や、平面と湾曲面とを組み合わせた形状とすることも可能である。
【００５６】
また、本実施例では、スペーサ部４７を、中央カバー板３１の背面に当接する構成としたが、これに限らず、中央カバー板３１の背面と間隙をおいて配される構成としても良い。この場合には、中央カバー板３１が背方へ撓み変位できるものの、その変位量を抑制でき、かつ伸縮リンク体１１との接触を防止できる。そのため、実施例と同様に、該接触による接触音の発生を防止できる。尚、中央カバー板３１の背面との前記間隙は、可及的に小さくすることによって、前記撓み変位を抑制する効果が向上する。
【００５７】
また、上述の実施例にあっては、リンク杆１３ａ，１３ｂの間、リンク杆１３ａ，１３ｂと短尺リンク杆１４ａ，１４ｂの間、および短尺リンク杆１４ａ，１４ｂの間に、二個の皿バネ６１，６１を背中合わせに介装させた構成であるが、この他の構成として、各間に、一個の皿バネ６１を介装させた構成としても良い。又は、金属製の皿バネ６１に代えて、金属製の皿部（実施例の皿バネと同形状のもの）とその一側に結合されたゴム部とからなる構成（本発明にかかる皿バネに相当）を、適用することも可能である。
【符号の説明】
【００５８】
１  壁用目地カバー装置
２  連結基体
５  取付金具
１１  伸縮リンク体
１２  リンク要素部
１３ａ，１３ｂ  リンク杆
１４ａ，１４ｂ  短尺リンク杆
１５ａ，１５ｂ  枢結点
２１，２３  螺子杆
３１  中央カバー板
４１  中間カバー板
４５  カバー支持体
４６ａ  枢支部
４７  スペーサ部
４７ａ  傾斜案内縁
４８ｂ  外端固定部
５１  端部カバー板
６１  皿バネ
ｓ  目地
ｘ  建造物
ｙ  側壁面
【図１】
2019060201.tif 000003
【図２】
2019060201.tif 000004
【図３】
2019060201.tif 000005
【図４】
2019060201.tif 000006
【図５】
2019060201.tif 000007
【図６】
2019060201.tif 000008
【図７】
2019060201.tif 000009
【図８】
2019060201.tif 000010
【図９】
2019060201.tif 000011
【図１０】
2019060201.tif 000012
【図１１】
2019060201.tif 000013
【図１２】
2019060201.tif 000014
【図１３】
2019060201.tif 000015
【図１４】
2019060201.tif 000016
【図１５】
2019060201.tif 000017